(57)【要約】本発明は、頭髪から選択された編んだ髪の処理に使用する方法および装置に関する。本発明による装置（２）は、選択された編んだ髪を処理する間、選択された編んだ髪を他の編んだ髪から分離するための材料の基板（４）を備えている。装置（２）は編んだ髪に基板（４）を固定するためにこの基板（４）上に設けられた固定手段（６）をさらに備えている。装置（２）は固定手段（６）が一つまたはそれ以上の編んだ髪の回りをフックし把持するための複数の要素を備えていることを特徴とする。
2004536645.tif 000002
【特許請求の範囲】
【請求項１】
選択された編んだ髪の処置に使用する装置であって、選択された編んだ髪が処置される間、頭髪の選択された編んだ髪を頭髪の他の編んだ髪から分けるための材料の基板と；基板を編んだ髪に固定するために基板上に設けられた固定手段とからなり、前記固定手段が一つまたはそれ以上の編んだ髪の回りを留めるとともに把持する複数の要素を備えたことを特徴とする編んだ髪の処置に使用する装置。
【請求項２】
複数の要素が基板のエッジ近傍に配置される請求項１記載の装置。
【請求項３】
複数の要素が基板の全幅を横切って配置される請求項１または２記載の装置。
【請求項４】
単位面積当たりの要素の数が基板を横切って変化する先行する請求項のいずれかに記載の装置。
【請求項５】
複数の要素の少なくとも一つが該装置内の溝によって規定された長尺部材を備えた先行する請求項のいずれかに記載の装置。
【請求項６】
前記溝が直線状である請求項５記載の装置。
【請求項７】
前記溝の対向両側部が各々長尺部材を規定しており、これによって前記溝が一つまたはそれ以上の編んだ髪を把持するための二つの要素を規定する請求項５または６記載の装置。
【請求項８】
複数の要素の少なくとも一つが、この少なくとも一つの要素に相対する位置に向かってこれに抗して編んだ髪が直接押圧されるように、傾斜面を有するヘッドを備え、これによって前記編んだ髪が前記少なくとも一つの要素によって締め付けられる先行する請求項のいずれかに記載の装置。
【請求項９】
複数の要素の少なくとも一つが、前記面に対して鋭角で面から外方に延長する部材を備え、前記部材と前記面間に空間が規定され、この空間に少なくとも一つの編んだ髪が使用状態に位置付けされる先行する請求項のいずれかに記載の装置。
【請求項１０】
前記部材と前記面の結合部が閉ループ形状を有している請求項９記載の装置。
【請求項１１】
前記閉ループ形状が実質的に円形であり、前記部材と実質的に環状を有する前記面間に空間を規定している請求項１０記載の装置。
【請求項１２】
前記鋭角が４５°未満である請求項９から１１のいずれかに記載の装置。
【請求項１３】
前記鋭角が３０°である請求項１２記載の装置。
【請求項１４】
複数の要素の少なくとも一つが、面から垂直方向に延長する部材を備え、この垂直方向に延長する部材が実質的に円筒状外面を有している請求項１から４のいずれかに記載の装置。
【請求項１６】
複数の要素の少なくとも一つが、前記面と実質的に平行に延長する部材を備えている請求項９から１５のいずれかに記載の装置。
【請求項１７】
前記面と実質的に平行に延長する前記部材が実質的に環状である請求項１６記載の装置。
【請求項１８】
複数の要素が、基板の長さに沿って延長する部分の基板面の一部上に配置されている先行する請求項のいずれかに記載の装置。
【請求項１９】
複数の要素が、基板の面の湾曲する一部上に配置されている先行する請求項のいずれかに記載の装置。
【請求項２０】
複数の要素が、基板から分離して製造されたベース部と一体的に設けられている先行する請求項のいずれかに記載の装置。
【請求項２１】
ベース部が基板と当接して固定された湾曲面を規定している請求項２０記載の装置。
【請求項２２】
ベース部のエッジが、使用に際してベース部と基板間にツールの配置が可能なように基板から自由になっている請求項２０または２１記載の装置。
【請求項２３】
前記自由エッジが、使用に際してツールが前記自由エッジと基板間に配置できるように、かつ、基板のエッジを頭皮に抗して押圧されるように位置付けされている請求項２２記載の装置。
【請求項２４】
ベース部が接着剤によって基板と当接して固定されている請求項２０から２３のいずれかに記載の装置。
【請求項２５】
ベース部が、このベース部の面を横切る液体の流れを制限するための手段を備えている請求項２０から２４のいずれかに記載の装置。
【請求項２６】
前記流れ制限手段が、ベース部の前記面内の溝を備えている請求項２５記載の装置。
【請求項２７】
基板が可撓性物質である先行する請求項のいずれかに記載の装置。
【請求項２８】
基板が透明物質である先行する請求項のいずれかに記載の装置。
【請求項２９】
第２の複数の要素が、使用に際して、基板が選択された編んだ髪の回りに折りたたまれたときに、第１の複数の要素と解放可能に連結できるように基板上に設けられている先行する請求項のいずれかに記載の装置。
【請求項３０】
前記第２の複数の要素が、ループ状をなすか、自由端を有する繊維である請求項２９記載の装置。
【請求項３１】
前記第２の複数の要素が、複数のフックを備えている請求項２９記載の装置。
【請求項３２】
先行する請求項のいずれかに記載の装置を使用する方法であって、装置の基板を頭髪の選択された編んだ髪の近傍に配置するステップと、編んだ髪を前記固定手段に抗して押圧し、複数の要素の少なくとも一つを少なくとも一つの編んだ髪の近傍に配置させ、これによって少なくとも一つの編んだ髪を把持し、選択された編んだ髪を他の編んだ髪から分離する位置に基板を固定するステップとを含む方法。
【請求項３３】
前記固定手段に抗して押圧された編んだ髪が、他の編んだ髪からマスキングのために選択された編んだ髪である請求項３２記載の方法。
【請求項３４】
選択された編んだ髪の処理に使用する装置であって、選択された編んだ髪を処理しながら、頭髪の他の編んだ髪から頭髪の選択された編んだ髪を分離するための基板物質と、基板を編んだ髪に固定するために基板に設けられた固定手段とを備え、基板に線上に配備された複数のミシン目が設けられており、前記線の各端が基板のエッジ近傍に配置されていることを特徴とする選択された編んだ髪の処理に使用する装置。
【請求項３５】
前記ミシン目の線が、固定手段近傍に配置されている請求項３４記載の装置。
【請求項３６】
前記ミシン目の線が、一つの長手方向延長エッジから対向方向延長エッジに基板の幅を横切って延長している請求項３４または３５記載の装置。
【請求項３７】
前記ミシン目の線が、基板の二つの部分の共通境界線を規定しており、基板の一方の部分が固定手段を備えている請求項３４から３６のいずれかに記載の装置。
【請求項３８】
基板の前記部分の他方が、少なくとも一つのアパーチャを備えている請求項３７記載の装置。
【請求項３９】
選択された編んだ髪の処理に使用する装置であって、請求項３７または３８記載の複数の装置を備え、複数の装置の前記基板部分の他方が互いに結合されている装置。
【請求項４０】
請求項３４から３９のいずれかに記載の装置を使用する方法であって、基板の一つの部分を前記ミシン目の線に沿って基板の他方の部分から剪断するステップと；固定手段の設けられた基板の部分を頭髪の選択された編んだ髪近傍に配置するステップと；前記基板部分を前記選択された編んだ髪近傍に固定し、前記編んだ髪を他の編んだ髪から分離するステップとを含む方法。
【発明の詳細な説明】
【技術分野】
【０００１】
本発明は、選択された編んだ髪の処理に使用する方法および装置、より詳しくはこれに限定するのもではないが、選択された編んだ髪の着色に使用する方法および装置に関する。
【背景技術】
【０００２】
着色のような髪処理の工程中に、選択された編んだ髪を分離するためにある長さの可撓性材料を使用することが知られている。一般的に、着色されるべき編んだ髪は、ウイービングとして知られているヘアドレッシングによってまず選択される。次にこれらの編んだ髪は、選択された髪を残りの髪から効果的に分離するのに一本の液体不浸透性材料上に配置される。バリア材料は、普通２ないし３インチ（すなわち、５から８ｃｍの間）の幅であり、また長さは処理されるべき髪の長さに少なくとも等しい長さである。材料の一方のエッジは、選択された編んだ髪の根近傍に配置されるとともに頭皮に接触される。次に髪の根元が、接触接着剤の設けられた材料の部分上に押圧される。これによって材料が、髪の処理工程中に頭皮上の正しい位置に保持される。正しい位置に固定された材料により、適切な髪処理基板が選択された編んだ髪に適用される。頭皮および残りの編んだ髪が、バリア材料によって髪処理基板に対する露呈から保護される。
【０００３】
本発明は現在知られている髪処理装置およびプロセスに伴うある種の問題の解決策を探究するものである。特に、従来技術による装置の使用は、従事者がしばしばバリア材料上の接着剤を面（頭皮、毛髪の根元よりむしろ毛髪の先端、あるいはバリア材料自体等）に誤って接触させるという理由で問題がある。装置のさらなる使用が、誤って付着された面からバリア材料を自由にするために修正操作が必要となる。ある状況において、特にバリア材料の一部が接着剤によって互いに付着され、装置の次の使用が不可能になることがあり、また使用されることなく廃棄されることもある。たとえ装置のさらなる使用が可能であっても、接触接着剤の有効性がその前回の面接触によって低下することがしばしばである。したがって、従来技術による装置は時間を消費し、むだな髪処理工程につながることになる。付加的に、従来技術による装置は、油っぽいタイプの髪を効果的に接着する傾向にない。結果として、前述した従来技術による装置の使用前に、処理されるべき髪の洗浄をする必要が極めてしばしばである。再度、これは時間のかかるプロセスにつながることになる。さらに、接着剤はもちろんバリア材料に、接触するこれらの編んだ髪を固定するだけである。従って、密集した（密度の高い）髪を伴う対象が処理下にあれば、選択された編んだ髪は接着剤と接触してさらなる選択された編んだ髪の上に重なり合うことが極めてしばしばとなり、これがためにそれ自体がバリア材料に固定されないことになる。これは髪処理材料を頭皮に流す危険性を増大することにつながる。
【０００４】
従来技術による問題は、バリア材料をこの種の多量の材料からの選択する困難も含んでいる。従来技術において、バリア材料は普通、個々のバリア材料にしっかり梱包されたカートンで販売されている。従って、カートンが開封されたときに、ユーザは互いに近接して圧縮され、容易に離れない複数のバリア材料を見ることになる。髪処理プロセス中、バリア材料は片手で迅速に、かつ便利に選択できることが特に望ましい。これは一般的にパッケージ化されたバリア材料は（特に、この種の材料の最近の開放カートンでは）可能ではないので、特定処理に必要とされるバリア材料の数が、処理の開始前にカートンからまず取り出され、材料が処理プロセス中片手で選択することができるケースがしばである。しかし、カートンから材料を取り出すことは、材料を置き間違えることにつながり、また手順においてもよい結果にならない。
【発明の開示】
【課題を解決するための手段】
【０００５】
本発明の第１の形態は、選択された編んだ髪の処置に使用する装置を提供することであって、この装置が選択された編んだ髪が処置される頭髪の選択された編んだ髪を頭髪の他の編んだ髪から分けるための材料の基板と；基板を編んだ髪に固定するために基板上に設けられた固定手段とからなり、前記固定手段が一つまたはそれ以上の編んだ髪の回りを留めるとともに把持する複数の要素を備えている。
【０００６】
複数の要素が基板のエッジ近傍に配置される。複数の要素が基板の全幅を横切って配置されるのが好ましい。単位面積当たりの要素の数が基板を横切って変化する。固定手段は射出成形技術を使用して製造されるのが好ましい。
【０００７】
複数の要素の少なくとも一つが前記装置内の溝によって規定された長尺部材を備えているのが好ましい。理想的には、前記溝が直線状である。前記溝の対向両側部が各々長尺部材を規定しており、これによって前記溝が一つまたはそれ以上の編んだ髪を把持するための二つの要素を規定する。複数の要素の少なくとも一つが、この少なくとも一つの要素に相対する位置に向かってこれに抗して編んだ髪が直接押圧されるように、傾斜面を有するヘッドを含み、これによって前記編んだ髪が前記少なくとも一つの要素によって締め付けられる。
【０００８】
複数の要素の少なくとも一つが、前記面に対して鋭角で面から外方に延長され、前記部材と前記面間に空間を規定され、この空間に少なくとも一つの編んだ髪が使用状態に位置付けされることが特に望まれる。前記部材と前記面の結合部が、閉ループ形状を有している。前記閉ループ形状が実質的に円形であり、前記部材と実質的に環状を有する前記面間に空間を規定している。前記鋭角が４５°未満であるのが好ましく、また３０°であるのが好ましい。
【０００９】
複数の要素の少なくとも一つが、面から垂直方向に延長する部材を含んでいる。この垂直方向に延長する部材が実質的に円筒状外面を有している。複数の要素の少なくとも一つが、前記面と実質的に平行に延長する部材を含んでいる。前記面と実質的に平行に延長する前記部材が実質的に環状である。
【００１０】
複数の要素が、基板の長さに沿って延長する部分の基板面の一部上に配置されているのが最も好ましい。複数の要素が、基板面の湾曲する一部上に配置されている。好ましくは、複数の要素が、基板から分離して製造されたベース部と一体的に設けられている。ベース部が基板と当接して固定された湾曲面を規定している。前記湾曲面がベース部の先頭エッジ近傍に設けられており、使用に際して、頭皮に抗して配置される。ベース部のエッジが、使用に際してベース部と基板間にツールの配置が可能なように基板から自由になっている。前記自由エッジが、使用に際してツールが前記自由エッジと基板間に配置できるように、かつ、基板のエッジを頭皮に抗して押圧されるように位置付けされている。前記自由エッジが、先方エッジと対向するとともにこれと平行なベース部の後方エッジとなる。ベース部は接着剤によって基板と当接状態に固定される。理想的には、ベース部はベース部の面を横切る液体の流れを制限するための手段を含んでいる。この流れ制限手段はベース部の前記面内の溝を含めることができる。基板は可撓性材料とし、また透明物質でもある。
【００１１】
第２の複数の要素が、使用に際して、基板が選択された編んだ髪の回りに折りたたまれたときに、第１の複数の要素と解放可能に連結できるように基板上に設けられているのが望ましい。前記第２の複数の要素が、ファイバーおよび（または）複数のフックを備えている。ファイバーがループ状をなすか、自由端を有している。さらに、これらの後者の複数のフックは固定手段の要素に関して上述したように設けられている。
【００１２】
本発明の第２の形態は、第１の形態の装置を使用する方法を提供し、装置の基板を頭髪の選択された編んだ髪の近傍に配置するステップと；編んだ髪を前記固定手段に抗して押圧し、複数の要素の少なくとも一つを少なくとも一つの編んだ髪の近傍に配置させ、これによって少なくとも一つの編んだ髪を把持し、選択された編んだ髪を他の編んだ髪から分離する位置に基板を固定するステップとを含んでいる。前記固定手段に抗して押圧された編んだ髪が、他の編んだ髪からマスキングのために選択された編んだ髪である。
【００１３】
本発明の第３の形態は、選択された編んだ髪の処理に使用する装置を提供し、選択された編んだ髪を処理しながら、頭皮の他の編んだ髪を頭髪の選択された編んだ髪から分離するための基板物質と；基板を編んだ髪に固定するために基板に設けられた固定手段とを備え；基板の線上に配備された複数のミシン目が設けられており、前記線の各端が基板のエッジ近傍に配置されていることを特徴とする。
【００１４】
好ましくは、前記ミシン目の線が、固定手段近傍に配置されている。
【００１５】
前記ミシン目の線が、一つの長手方向延長エッジから対向方向延長エッジに基板の幅を横切って延長している。前記ミシン目の線が、基板の二つの部分の共通境界線を規定しており、基板の一方の部分が固定手段を備えている。基板の前記部分の他方が、少なくとも一つのアパーチャを備えている。
【００１６】
本発明の第４の形態は、選択された編んだ髪の処理に使用する装置を提供し、第３形態による複数の装置を備え、複数の装置の前記基板部分の他方が互いに結合されている。
【００１７】
本発明の第５の形態は、第３および第４の装置を使用する方法を提供し、基板の一つの部分を前記ミシン目の線に沿って基板の他方の部分から剪断するステップと；固定手段の設けられた基板の部分を頭髪の選択された編んだ髪近傍に配置するステップと；前記基板部分を前記選択された編んだ髪近傍に固定し、前記編んだ髪を他の編んだ髪から分離するようにするステップとを含んでいる。
【００１８】
本発明の実施例を添付図面を参照して次に説明する。
【実施例】
【００１９】
本発明の第１実施例２を添付図面の図１に示す。この実施例２は髪処理装置であって、ベースシート４を形成する可撓性材料の長尺片を含んでおり、このシート上にフック材料片６（後述する）が取り付けられている。ベースシート４の材料は、装置２が使用されるべき髪処理物質に不浸透である。従って、ベースシート４は前記髪処理物質と、前記物質から分離されることを意図された編んだ髪との間の有効なバリアを形成する。不浸透特性を有するだけでなく、ベースシート４の材料はまた装置２を髪から外す必要性なしに処理するために、選択された編んだ髪の点検を可能にするように透明であるのが好ましい。ベースシート４の前述した特性は、セロファン（商標名）のような合成プラスチック材料によって提供することができる。
【００２０】
ベースシート４は長尺の長方形状を有している。図１に示した特定実施例２は、幅Ｗが７５ｍｍで、全長Ｌが１７０ｍｍである。しかし、これらの寸法は特定する状況と合致するように変えることもできる。
【００２１】
特に、長さＬは処理されるべき髪の長さによって長くなったり、短くなったりする。当該技術に習熟した人にとって明白なように、装置２は処理下にある編んだ髪の長さと少なくとも同じ長さであって、この編んだ髪の回りの髪からの分離を保証するのもでなければならない。本発明の実施例は、ベースシートが２００ｍｍ、４００ｍｍおよび５００ｍｍの標準長さ、および７５ｍｍと９０ｍｍの標準幅を有するものを提供することを予想している。
【００２２】
ベースシート４の頂部８は、装置２の長軸１２の両側部に位置する二つの円形アパーチャ１０が穿設されている。図７を参照して後述するように、アパーチャ１０はベースシート４を供給装置のウィケットへの取り付けを可能にしている。ベースシート４には、このベースシート４の幅を横切って長軸１２に対して鉛直方向に延長するミシン目線１４がさらに設けられている。ミシン目線１４はベースシート４の厚みを通して延長し、使用に際して、ベースシート４の頂部８がベースシート４の残りの部分から容易に分離されるようになっている。
【００２３】
フック材料片６が長方形状をなし、ベースシート４の全幅を横切って延長している。このフック材料６はベースシート４の長さに沿って約１５ｍｍ延長するとともに、適切な接着剤によってベースシート４の上記残りの部分に強固に貼りつけられている。別の実施例において、フック材料片６はベースシート４と一体的に形成することもできる。フック材料６の頂部エッジ１６（使用時に頭皮近傍に位置付けられる）が、ミシン目線１４内のベースシート４の残りの部分上に配置されている。別の実施例において、前記頂部エッジはミシン目線１４の上方に配置し、フック材料６の一部をベースシート４の頂部８に重畳させることもできる。しかし、この別の構成においては、フック材料６の重畳部分は接着剤（または他の方法）によって頂部８に固定せず、使用中にフック材料６およびベースシート４の残りの部分から頂部８の分離を容易にする。
【００２４】
フック材料片６は、固有の湾曲形状に形成されている。この湾曲形状は一部円形であるのが好ましい。図１に示したように、一度フック材料６がベースシート４に固定されると、ベースシート４（フック材料６の少なくとも近傍）が、フック材料６の湾曲形状になる。使用に際して、フック材料６の頂部エッジ１６の湾曲度は、ベースシート４が頭皮の湾曲度とより容易に一致することを保証する。ベースシート４の頭皮との一致を保証することを助けるために、フック材料６の少なくとも頂部エッジ領域が可撓性（好ましくは弾性的に可撓的）であり、頂部が変形してベースシート４の全幅を横切って頭皮と接触することが可能である。実際に、フック材料６は可撓性のあるプラナー（すなわち、湾曲形状なしに）としてもよい。結果的に、装置２はより容易に適用することができ、また髪を処理をする人に対してより快適さを与えることができる。図１に示した特定装置２は４．２５ｃｍの半径を有するフック材料６を備えている。しかし、他の大きさの湾曲度ももちろん使用してもよい。
【００２５】
フック材料６の外方湾曲面１８が、使用中選択された編んだ髪の根元を把持しするとともに、この目的で複数の小さいフックを備えている（図１では省略）。このフックはマッシュルーム形状をなし、一般的にフック／ループ布ファスナーに使用される形式のものである。しかし、フック／ループファスナーに使用される他のフック形状のものも湾曲面１８上に設けることができる。例えば、フックは前記面に対して鋭角に湾曲面１８から外方向に延長する部材を含んでおり、前記部材と前記面間に空間を規定して、この空間に少なくとも一つの編んだ髪が使用に際して配置される。鋭角は３０°が好ましいが、他の角度も使用できる。把持されるべき編んだ髪は部材と面の間にその収斂方向に圧縮され、これによって部材と面によって把持されることになる。フックは台形状をなし、フック材料６の面に沿っていずれの方向からもフックに向かって押圧されるように一つまたはそれ以上の編んだ髪を受け入れ把持することができる。
【００２６】
図２を参照して、複数の同形のマッシュルーム状フック２０が湾曲面１８を横切って均一に配置されているのが分かるであろう。しかし、別の実施例において、フックのサイズおよび密度は面１８の直径で変わることになる。例えば、フックの密度（すなわち、単位面積当りの数）のためにベースシート４の長さに沿って増減するので有利である。ベースシート４の幅を横切るフックの密度は、変わらないのが好ましい。この方法において、いずれの任意のフック材料片６も異なるタイプ（特に、異なる密度／厚み）の種々の選択された編んだ髪を効果的によりうまく把持することができる。ベースシート４の幅を横切るよりもベースシート４の長さに沿って（フック材料６の面１８の上を）変化するフック密度および形状により、全てのタイプの髪の適切な把持がベースシート４の全幅を横切って提供することができる。しかし、選択された編んだ髪が上方エッジ１６と対向する面１８の下方エッジ２２近傍に配置されたフック２０の密度および形状を有するフックによって最もうまく把持されたタイプの状況において、上方エッジ１６近傍でベースシート４の幅を横切って配置されたフックの密度および形状は、選択された編んだ髪を把持することにおいて効果のないことである。これが選択された編んだ髪に固定された上方エッジ１６を維持し、これによって頭皮に抗して保持する必要性のために望ましくないと考えられるならば、複数のフック２０を配備してフック密度および（または）形状寸法をベースシート４の幅を横切って変えるようにするのが好ましい。この方法において、上方エッジ１６の長さに沿ってある一定位置で選択された編んだ髪の少なくともあるものが把持され、これによって上方エッジ１６の全長が頭皮に抗して保持されることになる。選択された編んだ髪を把持するのに複数のフック２０を使用することについては、後ほどさらに詳述する。
【００２７】
添付図面の図５に最も明白に示すように、フック材料６の湾曲面１８に上方エッジ１６に沿って延長する溝２４が設けられている。使用に際して、溝２４はガターとして機能し、ベースシート４の前述した残りの部分から上方エッジ１６に向かって頭皮に流すことを意図する液体の髪処理物質に抵抗を与える。図６に示した別のフック材料片６’において、溝２４は面１８’から上方に延長するとともに上方エッジ１６’に沿って延長する隆起部２６に置き換えられている。使用に際して、隆起部１６’はエッジ１６’を越えて流出する流体のバリアとして機能する。図５および６に示したフック材料片６、６’は平坦な要素として示されているが、前記片６、６’は実際には、弛緩状態にあるときに、湾曲形状（好ましくは一部円形状を有する）を想定するようにして形成される。上述したように、フック材料片６、６’の湾曲度は、上方エッジ１６、１６’が、前記エッジ１６、１６’の形状が処理下にある人の頭皮と一致するように湾曲されている。
【００２８】
ベースシート４にはベースシート４の幅を横切って長軸１２に対して鉛直方向に延長する折り目２８がさらに設けられている。この折り目はベースシート４の上方エッジ１６と下方エッジ３０間の中間に配置されている。しかし、この折り目２８は別の位置に設けることもできる。下方エッジ３０は、使用に際して上方エッジ１６上に折りたたまれ、選択された編んだ髪が完全に包囲されるように配置されているのが好ましい。別の方法として、折り目２８は省略して、必要ならばまた必要なときにユーザによって付けるようにしてもよい。
【００２９】
図７を参照して、装置２は供給装置３４のウィケット３２に取り付けられている。このウィケット３２は円形断面のＵ−字状バーである。ウィケット３２は、金属またはプラスチック材料のようないずれの適切な材料から製造することができる。ウィケット３２の二つの自由端３６（その一方のみを図７で見ることができる）が、ベースシート４に設けられたアパーチャ１０を分ける等距離で互いに隔置されている。さらに、ウィケット３２の直径の円形断面は、アパーチャ１０の直径と実質的に等しく、一つの自由端３６が一つのアパーチャ１０を通過し、また他方の自由端３６が他方のアパーチャ１０を通過するようになっている。これによって、ウィケット３２は固定具として作用し、ここに一つまたはそれ以上のベースシート４を取り付けることができる。図７には示していないが、複数の装置２がウィケット３２に設けられるのが好ましい。例えば、２０個、３０個または４０個のベースシート４がウィケット３２に取り付けることもできる。このように取り付けられた装置は、互いに同形でもよく、あるいはサイズまたはデザインが異なっていてもよい。後者の場合において、複数の装置が異なる長さ、幅および（または）フック材料の異なるデザイン（例えば前述したような）を有する装置を含めることができる。
【００３０】
一度ウィケット３２が必要とされる装置に供給されると、ウィケット３２の自由端３６が供給装置３４のベース部材３８内に受け入れられる。これによって複数の装置２のウィケット３２からの摺動が阻止される。実際に、複数の装置２がウィケット３２に事前取り付けされてユーザに販売されている。ウィケット３２はユーザの作業場に既に設置されたベース部材３８に取り外し可能に固定されている。別の方法として、複数の装置２は供給装置全体として供給することもできる。このような状況において、供給装置３４のベース部材３８は、ベース部材３８の壁への迅速、かつ、便利な方法で着脱可能な取り付けを許容する最適な固定部材を設けることができ、例えばベース部材３８の裏面４０は壁に取り付けられるフック部材と係合させるためのアパーチャを設けることができる。
【００３１】
供給装置３４の使用は必要とされる装置２の便利な選択が可能であることが理解できる。複数の装置２は規定された方法でウィケット３２に配置され、これによってユーザが選択された編んだ髪を分離して使用する特定装置２を把持する助けになる。ユーザがミシン目１４の下方でベースシート４の前述した残りの部分を把持することによって必要とする装置２を選択する。次に、ベースシート４の残りの部分が、ウィケット３２に沿って、ベース部材３８から離れるように矢印４２（図７参照）の方向に引っ張られる。しかし、頂部８はウィケット３２のクロスバー部４４（図７の鎖線で示した）によってウィケット３２から外れるのを阻止している。それにもかかわらず、頂部８は外れないようになっているが、ベースシート４の幅を横切って延長するミシン目１４がベースシート４の残りの部分の頂部８からの容易な切り離しを可能にしている。従って、選択された編んだ髪の分離のために必要とする装置２の部分（すなわち、フック材料片６の設けられたベースシート４の残りの部分）が使用のために容易に選択することができる。選択された装置２の頂部８がウィケット３２上に残っているが、これはさらなる装置２の容易な選択を妨げることはない。ウィケット３２から事前に引き剥された選択された装置の頂部８’を図７に示す。
【００３２】
一度必要とされる編んだ髪が選択されると（一般的にウィービングとして知られている技術により）、必要な装置２がウィケット３２から引き剥されると、ベースシート４の残りの部分が、選択された編んだ髪の下に配置される。上方エッジ１６が頭皮と選択された編んだ髪の根元近傍に抗して押圧される。次に、選択された編んだ髪が強く押圧され、フック材料６の湾曲面１８に抗してマッサージされる。これによって、選択された編んだ髪は面１８から延長する近接するマッシュルーム状フック２０間で押圧されるとともに、フック２０の頭部と面１８間に配置される傾向にある。フック材料６の全幅および全長を覆う髪がマッサージされ（例えば、ユーザの親指によって）、マッシュルーム状フック２０が編んだ髪の回りに配置され、前記編んだ髪が把持されて上方エッジ１６が頭皮近傍に保持されることを保証する。フック２０の選択された編んだ髪との係合が、髪処理プロセス中、ベースシート４の横方向移動に耐える働きもする。
【００３３】
選択された編んだ髪を把持するフック２０の有効性は、編んだ髪が最近洗浄されたか否かに実質上依存しない。フック２０は油っぽくない髪を把持したときと本質的に同じ効果で油っぽい髪を把持する傾向にある。フック２０は編んだ髪から外し、また把持効果をなくすことなしに再度適用すことができる。従って、上方エッジ１６の位置付けの失敗は、さらなる装置２の使用を必要とせずに容易に修正できる。使用の容易さがフック２０によっても促進され、前記フック２０はそのフック２０が配置される回りに布が含まれている面にのみ付着する傾向にある。従って、フック２０はベースシート４の残りの部分または処理下にある人の皮膚に付着する傾向にない。
【００３４】
頭皮上の所望の位置に配置された上方エッジ１６により、選択された編んだ髪はベースシート４の残りの部分上に広がるように並べられる。従って、ベースシート４の残りの部分は選択された編んだ髪を残りの部分の下方に配置された他の髪から分離するとともに、選択された編んだ髪に施される処理物質にさらされることから前記他の髪をマスクする効果があることは明白となろう。着色液のような適切な髪処理物質は、ブラシによって選択された編んだ髪に好便に適用することができる。溝２４はフック材料６から頭皮に髪処理物質が流れるのを阻止する働きをすることは当該技術に習熟した人には容易に理解できるであろう。
【００３５】
一度髪処理物質が適用されると、選択された編んだ髪が折りたたみ線２８に沿ってベースシート４の残りの部分を折りたたむことによって覆われ、これによって下方エッジ３０が上方エッジ１６近傍に配置される。別の方法として、選択された編んだ髪は、ベースシート４の残りの部分を分離するカバーシートで覆うこともできる。下方エッジ３０は接着剤によって上方エッジ１６に固定できるが、下方エッジ３０近傍のベースシート４の部分には、湾曲面１８上に設けられた複数のフック２０によって把持される材料を設けるのが好ましい。この材料はフック／ループ式ファスナー（図３参照）に従来使用された複数のループ４６を含む繊維材料でよい。別の方法として、この材料はマッシュルームタイプ（図４参照）であるのが好ましいさらなる複数のフック４８を含んでいる。
【００３６】
下方エッジ３０が上方エッジ１６近傍に固定されている（または分離したカバーシートが正しい位置に配置されている）とき、選択された髪が収容され、また直近の回りの部材から遮断される。
【００３７】
本発明は上述した特定する実施例に限定するのもではない。別の構成および適切な材料も当該技術に習熟した人にとって明白であろう。例えば、装置２は図５に示したような溝を有するフック材料片６の代わりに図６に示したような隆起部のあるフック材料片６’によって修正することもできる。結果的にできあがった装置２’の部分的側面図を図８に示す。さらなる別の装置１０２、２０２を図９および１０にそれぞれ示す。これらの別の装置１０２、２０２は図１に示す装置２とは次の点においてのみ異なる。すなわち、繊維材料片１０４が図９の装置１０２のベースシート４に設けられ、また繊維材料の二つの部分２０４、２０６が図１０に示す装置２０２のベースシート４に設けられている。図１に示す装置２と共通のさらなる装置１０２、２０２の要素は、同様の参照符号で識別されている。
【００３８】
図９で見られるように、繊維材料片１０４はベースシート４の下方エッジ３０近傍に配置され、ベースシート４の全幅を横切って延長している。ベースシート４が折り目線２８に沿って折りたたまれたときに、繊維材料片１０４がフック材料片６と一致して下方エッジ３０が上方エッジ１６近傍に固定される。図１０から分かるように、装置２０２の繊維材料２０４、２０６の二つの部分が正方形であり、また下方エッジ３０近傍に、かつ、ベースシート４の対向する長手方向延長エッジ２０８、２１０近傍に配置されている。従って、ベースシート４の残りの部分が折りたたみ線２８に沿って折りたたまれたときに、繊維材料の部分２０４、２０６が、フック材料６のフック２０と係合することによって上方エッジ１６近傍に下方エッジ３０を保持する作用をする。
【００３９】
フック／ループまたはフック／ループファスナーの別の構成も当該技術に習熟した人にとって明白であろう。例えば、フック／ループファスナーの材料はベースシート４の残りの部分の全周の回りに（すなわち、ベースシート４の下方エッジ３０だけでなくベースシート４の長手方向に延長するエッジの長さに沿って）設けることができる。この方法において、ベースシート４の残りの部分が折りたたみ線２８に沿って折りたたまれたときに、選択された編んだ髪がベースシート４の材料間に完全に包み込まれ、収容される。
【００４０】
なおもさらなる別の構成を添付図面の図１１に示す。図１１の装置３０２は図１に示す装置２とは次の点においてのみ異なる。すなわち、繊維材料片３０４がベースシート４の側部上の下方エッジ３０近傍に設けられ、これと対向してフック材料６が設けられ、またフック材料片６がベースシート４の横方向に延長する部分３０６を有している。繊維材料３０４はベースシート４の全幅を横切って延長している。さらに、フック材料６の延長部分３０６は、ベースシート４の幅と実質的に同じ長さを有している。装置３０２の使用に際して、ベースシート４が折りたたみ線２８に沿って折りたたまれ、これによって下方エッジ３０が上方エッジ１６近傍に位置付けられる。次に、下方エッジ３０がフック材料６の延長部３０６を繊維材料３０４上に折りたたむことによって正しい位置に固定される。延長部３０６が事前形成折りたたみ線３０８に沿ってベースシート４のエッジで折りたたまれる。これによって延長部３０６に設けられたフックは、繊維材料３０４と係合し、下方エッジ３０の上方エッジ１６に対する実質的な動きを阻止している。さらなる変形例において、フック材料６の延長部がベースシート４の両長手方向エッジから延長している。好ましくは、二つの部分がベースシート４の幅の半分に実質的に等しい長さを有している。
【００４１】
上述の繊維材料は、従来のフック／ループ式ファスナーにおいて知られているようなフック部材を係合するための複数のループを含んでいる。繊維材料は布または吸収性紙材料として設けることもできる。別の方法として、繊維材料はフック材料と交換でき、フック対フックの結合が、むしろフック対ループ結合を形成する。フック対フック結合は、マッシュルーム状フックが添付図面の図４に示すように使用されたときに、特に確実である。
【００４２】
さらに、フックを伴う基板の部分が、前記部分を横切る均一長さを変化するタイプの編んだ髪および（または）フック／ループとの接続を提供することを保証するために、一つを超えるフックタイプ（すなわち、フックの形状寸法および（または）密度）が前記部分を横切って均一に分布されている。従って、いずれの任意のフック部材を、異なるタイプのフック部材の次に配置することもできる。
【００４３】
なおもさらなる変形例において、フックとループおよびフックとフックファスナーのベースシートの固定部分と一緒にした（あるいはベースシートに対する別のカバー部分との）機能が、舌部および溝機構によって実行することができ、一方の部分から延長する舌部が別の部分の溝によって受承され把持される。
【００４４】
本発明の第６実施例を添付図面の図１２から１８を参照して次に説明する。第６実施例は前述の実施例と同様であり、ベースシート４０４を形成する可撓性材料の長尺片を含み、ベースシート上にフック材料片４０６が取り付けられている。ベースシート４０４の材料は、装置４００と併用される髪処理物質を浸透させないものである。従って、ベースシート４０４は前記髪処理物質と、この物質から分離しようとする編んだ髪との間の効果的なバリアを形成する。フック材料片が、ベースシート４０４の全幅を横切って延長し、また適切な接着剤によってその上方エッジに沿って強固に付着される。ベースシート４０４およびフック材料４０６の寸法が、前の実施例に関して説明したこれまでの説明の通りである。フック材料４０６の下方エッジ４０７の２ｍｍと４ｍｍの間が、自由でありベースシート４０４に対して付着されていない。この特徴の目的は、櫛の後部またはユーザの指の爪が、下方エッジ４０７の域内のフック材料４０６とベースシート４０４間への配置を許容し、ベースシート４０４の上方エッジ４０９が使用に際して頭皮に抗して押圧させるためである。ベースシート４０４に接着されるフック材料４０６の部分は、ベースシート４０４の上方エッジ４０９と図１２に示された破線４１０との間に配置されたフック材料４０６の部分である。この特徴は前に説明した実施例のいずれにも使用することができることは当該技術に習熟した人にとって明白であろう。
【００４５】
図９の実施例におけるように、繊維材料またはフック材料片４１１はベースシート４０４の下方エッジ４１３近傍に適切な接着剤によって固定される。従って、ベースシート４０４が使用に際して折りたたまれ、下方エッジ４１３が上方エッジ４０９近傍に接近すると、材料４１１の下方片が材料４０６の上方片と係合し、これと連結するようになる。この連結はベースシート４０４を折りたたみ位置に保持されることを補助するだけでなく、髪処理物質の頭皮への望ましくない漏洩を阻止する助けをする。繊維材料がここで説明した実施例のいずれにも使用されたときに、前記材料の繊維はループ状をなすか、または自由端を有しているのが理想的である。
【００４６】
フック材料片４０６の部分平面図を添付図面の図１３に示す。図１３の拡大図は、複数の円形マッシュルーム状フック部材４１４を備えたフック材料４０６を示す。フック部材４１４は、ベースシート４０４の長軸４１５と平行して設けられた複数の列に配置されている。この結果、編んだ髪は曲げられたり、よじられたりせずにフック部材４１４の列の間に配置される。換言すれば、編んだ髪はフック部材４１４の近接する列間に配置され直線形状が保証されている。
【００４７】
図１４の断面側面図に示すように、各フック部材４１４のヘッド４１６は平坦なプラナー頂面４１７を有している。しかし、図１５に示したようにフック材料４０６の修正例において、各フック部材４１４は円錐状頂面４１８のあるヘッド４１６を有している。さらなる別の例として、頂面は図３および４に示したように部分的に球形である。湾曲したあるいは傾斜した頂面の使用は、編んだ髪をフック部材間４１４に配置する助けをする。この点に関して、フック部材４１４の前記頂面４１８は、編んだ髪をフック部材４１４間の空隙に向けて案内する作用をする。
【００４８】
図１３から１５に示したフック材料片４０６は、添付図面の図１６から１８に示したさらに修正したフック材料片と交換することができる。図１６から１８に示したフック材料は、複数の長尺Ｔ字状フック４２０を含んでいる。フック部材４２０の形態は、長尺Ｔ字状溝４２２が近接するフック部材４２０間に形成されるようになっており、フック部材はベースシート４０４の長軸４１５と平行に延長するとともに、フック材料の上方エッジ４２３からその下方エッジ４２４に延長している。溝４２２が直線であるから、編んだ髪は近接する長尺フック４２０間に直線形状に保持される。図１８に示したように、フック部材４２０のヘッド部は編んだ髪を溝４２２に向かって案内するために、傾斜する頂面４２３を備えている。
【００４９】
フック材料片４１１を図１６から１８に示した長尺フック部材４２０を含むフック材料片４０６に連結するために、フック材料片は複数のフック部材を設けるのが好ましい（例えば、マッシュルーム状フックまたは長尺Ｔ字状フック）。この種のフック部材は、ループまたは他の繊維材料よりもフック材料の長尺Ｔ字状フック部材に強固に連結されるであろう。
【図面の簡単な説明】
【００５０】
【図１】本発明の第１実施例の概略平面図。
【図２】図１の実施例に設けられた複数のフックの概略透視図。
【図３】フックが図２に示したタイプのものであるフック／ループ連結を示す概略側面図。
【図４】フックが図２に示したタイプのものであるフック／フック連結を示す概略側面図。
【図５】図１の実施例に設けられたフック材料片の概略透視図。
【図６】図１の実施例に設けられた別のフック材料片の概略透視図。
【図７】ウィケット・ディスペンサーに固定された第１実施例の上方部を示す概略断面側面図。
【図８】図６に示したフック材料を提供する本発明の第２実施例の上方部の概略側面図。
【図９】本発明の第３実施例の概略平面図。
【図１０】本発明の第４実施例の概略平面図。
【図１１】本発明の第５実施例の概略平面図。
【図１２】本発明の第６実施例の概略平面図。
【図１３】円形マッシュルーム状フック部材を含むフック材料片の概略平面部分図。
【図１４】図１３のフック材料を前記図の線Ａ−Ａから見た概略部分側面断面図。
【図１５】図１３に示すフック材料の修正バージョンの概略部分側面断面図。
【図１６】長尺Ｔ字状フック部材を含むフック材料片の概略平面部分図。
【図１７】図１６のフック材料を前記図の線Ｂ−Ｂから見た概略部分側面断面図。
【図１８】図１７に示したフック材料の修正バージョンの概略部分側面断面図。
【国際公開パンフレット】
2004536645.tif 000003
2004536645.tif 000004
2004536645.tif 000005
2004536645.tif 000006
2004536645.tif 000007
2004536645.tif 000008
2004536645.tif 000009
2004536645.tif 000010
2004536645.tif 000011
2004536645.tif 000012
2004536645.tif 000013
2004536645.tif 000014
2004536645.tif 000015
2004536645.tif 000016
2004536645.tif 000017
2004536645.tif 000018
2004536645.tif 000019
2004536645.tif 000020
2004536645.tif 000021
2004536645.tif 000022
2004536645.tif 000023
2004536645.tif 000024
2004536645.tif 000025
2004536645.tif 000026
2004536645.tif 000027
2004536645.tif 000028
2004536645.tif 000029
2004536645.tif 000030
2004536645.tif 000031
2004536645.tif 000032
2004536645.tif 000033
2004536645.tif 000034
2004536645.tif 000035
【手続補正書】
【提出日】平成15年9月24日(2003.9.24)
【手続補正１】
【補正対象書類名】特許請求の範囲
【補正対象項目名】全文
【補正方法】変更
【補正の内容】
【特許請求の範囲】
【請求項１】
選択された編んだ髪の処置に使用する装置（１０２）であって、選択された編んだ髪が処置される間、頭髪の選択された編んだ髪を頭髪の他の編んだ髪から分けるための材料の基板（４）と；基板（４）を編んだ髪に固定するために基板（４）上に設けられた固定手段とからなり、前記固定手段が、一つまたはそれ以上の編んだ髪の回りをフックし、把持する複数の要素（６）を含み；前記固定手段が一つまたはそれ以上の編んだ髪の回りをフックし、把持する第二の複数の要素（１０４）を含み、第一および第二の複数の要素（６，１０４）が基板上に配置され、互いに隔置されるとともに、使用に際して基板が第一の複数の要素と第二の複数の要素間の位置（１０２）に折りたたまれたときに、互いに解放可能に連結可能であることを特徴とする編んだ髪の処置に使用する装置。
【請求項２】
第一の複数の要素（６）が基板（４）のエッジ近傍（１６）に配置される請求項１記載の装置。
【請求項３】
第一の複数の要素（６）が基板の全幅を横切って配置される請求項１または２記載の装置。
【請求項４】
単位面積当たりの要素の数が基板（４）を横切って変化する先行する請求項のいずれかに記載の装置。
【請求項５】
第一の複数の要素（６）の少なくとも一つが該装置内の溝（４２２）によって規定された長尺部材を備えた先行する請求項のいずれかに記載の装置。
【請求項６】
前記溝（４２２）が直線状である請求項５記載の装置。
【請求項７】
前記溝（４２２）の対向両側部が各々長尺部材を規定しており、これによって前記溝が一つまたはそれ以上の編んだ髪を把持するための二つの要素（４２０）を規定する請求項５または６記載の装置。
【請求項８】
第一および第二の複数の要素（６，１０４）の少なくとも一つの要素が、傾斜した面を有するヘッド部を含み、前記少なくとも一つの要素に相対する位置に向かって編んだ髪を直接これに抗して押圧し、これによって前記編んだ髪が前記少なくとも一つの要素によって把持される先行する請求項のいずれかに記載の装置。
【請求項９】
第一または第二の複数の要素（６，１０４）の少なくとも一つの要素が、前記面に対して鋭角で面から外方に延長する部材を備え、前記部材と前記面間に空間が規定され、この空間に少なくとも一つの編んだ髪が使用状態に位置付けされる先行する請求項のいずれかに記載の装置。
【請求項１０】
前記部材と前記面の結合部が閉ループ形状を有している請求項９記載の装置。
【請求項１１】
前記閉ループ形状が実質的に円形であり、前記部材と実質的に環状を有する前記面間に空間を規定している請求項１０記載の装置。
【請求項１２】
前記鋭角が４５°未満である請求項９から１１のいずれかに記載の装置。
【請求項１３】
前記鋭角が３０°である請求項１２記載の装置。
【請求項１４】
第一および第二の複数の要素（６，１０４）の少なくとも一つの要素が、面から垂直方向に延長する部材を含み、この垂直方向に延長する部材が実質的に円筒状外面を有している請求項１から４のいずれにも記載の装置。
【請求項１５】
要素の少なくとも一つが、前記面と実質的に平行に延長する部材を備えている請求項９から１４記載の装置。
【請求項１６】
前記面と実質的に平行に延長する前記部材が実質的に環状である請求項１５記載の装置。
【請求項１７】
第一の複数の要素（６）が、基板（４）の長さに沿って延長する部分の基板面の一部上に配置されている先行する請求項のいずれかに記載の装置。
【請求項１８】
第一の複数の要素（６）が、基板の面の湾曲する一部上に配置されている先行する請求項のいずれかに記載の装置。
【請求項１９】
複数の要素が、基板（４）から分離して製造されたベース部と一体的に設けられている先行する請求項のいずれかに記載の装置。
【請求項２０】
ベース部が基板（４）と当接して固定された湾曲面を規定している請求項１９記載の装置。
【請求項２１】
ベース部のエッジが、使用に際してベース部と基板間にツールの配置が可能なように基板から自由になっている請求項１９または２０記載の装置。
【請求項２２】
前記自由エッジが、使用に際してツールが前記自由エッジと基板間に配置できるように、かつ、基板のエッジを頭皮に抗して押圧されるように位置付けされている請求項２１記載の装置。
【請求項２３】
ベース部が接着剤によって基板と当接して固定されている請求項１９から２２のいずれかに記載の装置。
【請求項２４】
ベース部が、このベース部の面（１８）を横切る液体の流れを制限するための手段を備えている請求項１９から２３のいずれかに記載の装置。
【請求項２５】
前記流れ制限手段が、ベース部の前記面内の溝（２４）を備えている請求項２４記載の装置。
【請求項２６】
基板（４）が可撓性物質である先行する請求項のいずれかに記載の装置。
【請求項２７】
基板（４）が透明物質である先行する請求項のいずれかに記載の装置。
【請求項２８】
装置（１０２）の基板（４）を頭髪の選択された編んだ髪の近傍に位置付けするステップと；前記固定手段に抗して編んだ髪を押圧し、第一の複数の要素（６）の少なくとも一つの要素を少なくとも一つの押圧された編んだ髪の近傍に位置付けし、これによって前記少なくとも一つの編んだ髪を把持し、選択された編んだ髪を他の編んだ髪から分離する位置に基板を固定するステップとを含む先行する請求項のいずれにも記載の装置（１０２）を使用する方法。
【請求項２９】
基板（４）を前記選択された編んだ髪の回りに折りたたむステップと；前記選択された編んだ髪に抗して第二の複数の要素（１０４）の少なくとも一つの要素を押圧し、前記選択された編んだ髪を第二の複数の要素（１０４）の少なくとも一つの要素によって把持させるステップとをさらに含む請求項２８記載の方法。
【請求項３０】
前記第一の複数の要素（６）に抗して前記第二の複数の要素（１０４）の少なくとも一つの要素を押圧し、第二の複数の要素（１０４）の少なくとも一つの要素と第一の複数の要素を互いに把持するステップとをさらに含む請求項２９記載の方法。
【請求項３１】
前記第２の複数の要素が、複数のフックを備えている請求項２９記載の装置。
【請求項３２】
先行する請求項のいずれかに記載の装置を使用する方法であって、装置の基板を頭髪の選択された編んだ髪の近傍に配置するステップと、編んだ髪を前記固定手段に抗して押圧し、複数の要素の少なくとも一つを少なくとも一つの編んだ髪の近傍に配置させ、これによって少なくとも一つの編んだ髪を把持し、選択された編んだ髪を他の編んだ髪から分離する位置に基板を固定するステップとを含む方法。
【請求項３３】
前記固定手段に抗して押圧された編んだ髪が、他の編んだ髪からマスキングのために選択された編んだ髪である請求項３２記載の方法。
【請求項３４】
選択された編んだ髪の処理に使用する装置であって、選択された編んだ髪を処理しながら、頭髪の他の編んだ髪から頭髪の選択された編んだ髪を分離するための基板物質と、基板を編んだ髪に固定するために基板に設けられた固定手段とを備え、基板に線上に配備された複数のミシン目が設けられており、前記線の各端が基板のエッジ近傍に配置されていることを特徴とする選択された編んだ髪の処理に使用する装置。
【請求項３５】
前記ミシン目の線が、固定手段近傍に配置されている請求項３４記載の装置。
【請求項３６】
前記ミシン目の線が、一つの長手方向延長エッジから対向方向延長エッジに基板の幅を横切って延長している請求項３４または３５記載の装置。
【請求項３７】
前記ミシン目の線が、基板の二つの部分の共通境界線を規定しており、基板の一方の部分が固定手段を備えている請求項３４から３６のいずれかに記載の装置。
【請求項３８】
基板の前記部分の他方が、少なくとも一つのアパーチャを備えている請求項３７記載の装置。
【請求項３９】
選択された編んだ髪の処理に使用する装置であって、請求項３７または３８記載の複数の装置を備え、複数の装置の前記基板部分の他方が互いに結合されている装置。
【請求項４０】
請求項３４から３９のいずれかに記載の装置を使用する方法であって、基板の一つの部分を前記ミシン目の線に沿って基板の他方の部分から剪断するステップと；固定手段の設けられた基板の部分を頭髪の選択された編んだ髪近傍に配置するステップと；前記基板部分を前記選択された編んだ髪近傍に固定し、前記編んだ髪を他の編んだ髪から分離するステップとを含む方法。
【手続補正２】
【補正対象書類名】明細書
【補正対象項目名】全文
【補正方法】変更
【補正の内容】
【発明の詳細な説明】
【技術分野】
【０００１】
本発明は、選択された編んだ髪の処理に使用する方法および装置、より詳しくはこれに限定するのもではないが、選択された編んだ髪の着色に使用する方法および装置に関する。
【背景技術】
【０００２】
着色のような髪処理の工程中に、選択された編んだ髪を分離するためにある長さの可撓性材料を使用することが知られている。一般的に、着色されるべき編んだ髪は、ウイービングとして知られているヘアドレッシングによってまず選択される。次にこれらの編んだ髪は、選択された髪を残りの髪から効果的に分離するのに一本の液体不浸透性材料上に配置される。バリア材料は、普通２ないし３インチ（すなわち、５から８ｃｍの間）の幅であり、また長さは処理されるべき髪の長さに少なくとも等しい長さである。材料の一方のエッジは、選択された編んだ髪の根近傍に配置されるとともに頭皮に接触される。次に髪の根元が、接触接着剤の設けられた材料の部分上に押圧される。これによって材料が、髪の処理工程中に頭皮上の正しい位置に保持される。正しい位置に固定された材料により、適切な髪処理基板が選択された編んだ髪に適用される。頭皮および残りの編んだ髪が、バリア材料によって髪処理基板に対する露呈から保護される。
【０００３】
先行技術文献ＷＯ９７／３８６０２およびＦＲ２  ５８５  ５６５  は、選択された編んだ髪を把持する複数のフック要素を備えた基板を含み、基板を正しい位置に保持する髪処理装置を開示している。一度髪処理物質が、選択された編んだ髪に適用されると、基板が折りたたまれ、選択された編んだ髪が包み込まれ、編んだ髪が残りの頭髪からマスクされる。しかし、この基板は基板材料の固有の硬度および（または）髪処理物質の表面張力によって折りたたみ位置に維持される。髪の処理のためのさらなる先行技術による装置は、米国特許第５，６６４，５９０  号に開示されている。このさらなる先行技術による装置は、第一および第二基板を有しており、互いに重なり合うとともに一つのエッジに沿って連結され、蝶番機能で互いに可動になっている。第一基板の一面がフックファスナーで完全に覆われ、一方第二基板の接合面が、使用に際してフックファスナーと共同してループファスナーで完全に覆われる。
【０００４】
本発明は現在知られている髪処理装置およびプロセスに伴うある種の問題の解決策を探究するものである。特に、従来技術による装置の使用は、従事者がしばしばバリア材料上の接着剤を面（頭皮、毛髪の根元よりむしろ毛髪の先端、あるいはバリア材料自体等）に誤って接触させるという理由で問題がある。装置のさらなる使用が、誤って付着された面からバリア材料を自由にするために修正操作が必要となる。ある状況において、特にバリア材料の一部が接着剤によって互いに付着され、装置の次の使用が不可能になることがあり、また使用されることなく廃棄されることもある。たとえ装置のさらなる使用が可能であっても、接触接着剤の有効性がその前回の面接触によって低下することがしばしばである。したがって、従来技術による装置は時間を消費し、むだな髪処理工程につながることになる。付加的に、従来技術による装置は、油っぽいタイプの髪を効果的に接着する傾向にない。結果として、前述した従来技術による装置の使用前に、処理されるべき髪の洗浄をする必要が極めてしばしばである。再度、これは時間のかかるプロセスにつながることになる。さらに、接着剤はもちろんバリア材料に、接触するこれらの編んだ髪を固定するだけである。従って、密集した（密度の高い）髪を伴う対象が処理下にあれば、選択された編んだ髪は接着剤と接触してさらなる選択された編んだ髪の上に重なり合うことが極めてしばしばとなり、これがためにそれ自体がバリア材料に固定されないことになる。これは髪処理材料を頭皮に流す危険性を増大することにつながる。
【０００５】
従来技術による問題は、バリア材料をこの種の多量の材料からの選択する困難も含んでいる。従来技術において、バリア材料は普通、個々のバリア材料にしっかり梱包されたカートンで販売されている。従って、カートンが開封されたときに、ユーザは互いに近接して圧縮され、容易に離れない複数のバリア材料を見ることになる。髪処理プロセス中、バリア材料は片手で迅速に、かつ便利に選択できることが特に望ましい。これは一般的にパッケージ化されたバリア材料は（特に、この種の材料の最近の開放カートンでは）可能ではないので、特定処理に必要とされるバリア材料の数が、処理の開始前にカートンからまず取り出され、材料が処理プロセス中片手で選択することができるケースがしばである。しかし、カートンから材料を取り出すことは、材料を置き間違えることにつながり、また手順においてもよい結果にならない。
【特許文献１】
国際公開公報ＷＯ９７／３８６０２
【発明の開示】
【課題を解決するための手段】
【０００６】
本発明の第１の形態は、選択された編んだ髪の処置に使用する装置を提供することであって、この装置が選択された編んだ髪が処置される頭髪の選択された編んだ髪を頭髪の他の編んだ髪から分けるための材料の基板と；基板を編んだ髪に固定するために基板上に設けられた固定手段とからなり、前記固定手段が、一つまたはそれ以上の編んだ髪の回りをフックし、把持する複数の要素を含み；前記固定手段が一つまたはそれ以上の編んだ髪の回りを留めるとともに、把持する第二の複数の要素を含み、第一および第二の複数の要素が基板上に配置され、互いに隔置されるとともに、使用に際して基板が第一の複数の要素と第二の複数の要素間の位置に折りたたまれたときに、互いに解放可能に連結可能であることを特徴とする。
【０００７】
第一の複数の要素が基板のエッジ近傍に配置される。第一の複数の要素が基板の全幅を横切って配置されるのが好ましい。単位面積当たりの要素の数が基板を横切って変化する。固定手段は射出成形技術を使用して製造されるのが好ましい。
【０００８】
第一の複数の要素の少なくとも一つの要素が、前記装置の溝によって規定された長尺部材を備えていることが好ましい。理想的には、前記溝が直線状である。前記溝の対向両側部が各々長尺部材を規定しており、これによって前記溝が一つまたはそれ以上の編んだ髪を把持するための二つの要素を規定する。第一の複数の要素の少なくとも一つが、この少なくとも一つの要素に相対する位置に向かってこれに抗して編んだ髪が直接押圧されるように、傾斜面を有するヘッドを含み、これによって前記編んだ髪が前記少なくとも一つの要素によって締め付けられる。
【０００９】
第一の複数の要素の少なくとも一つの要素が、前記面に対して鋭角で面から外方に延長し前記部材と前記面間に空間を規定し、この空間内に少なくとも一つの編んだ髪が使用に際して配置されることが特に望ましい。前記部材と前記面の結合部が、閉ループ形状を有している。前記閉ループ形状が実質的に円形であり、前記部材と実質的に環状を有する前記面間に空間を規定している。前記鋭角が４５°未満であるのが好ましく、また３０°であるのが好ましい。
【００１０】
第一の複数の要素の少なくとも一つの要素が、面から垂直方向に延長する部材を含んでいる。この垂直方向に延長する部材が実質的に円筒状外面を有している。要素の少なくとも一つが、前記面と実質的に平行に延長する部材を含んでいる。前記面と実質的に平行に延長する前記部材が実質的に環状である。
【００１１】
第一の複数の要素が、基板の長さに沿って延長する部分の基板面の一部上に配置されているのが最も好ましい。第一の複数の要素が、基板面の湾曲する一部上に配置されている。好ましくは、第一の複数の要素が、基板から分離して製造されたベース部と一体的に設けられている。ベース部が基板と当接して固定された湾曲面を規定している。前記湾曲面がベース部の先頭エッジ近傍に設けられており、使用に際して、頭皮に抗して配置される。ベース部のエッジが、使用に際してベース部と基板間にツールの配置が可能なように基板から自由になっている。前記自由エッジが、使用に際してツールが前記自由エッジと基板間に配置できるように、かつ、基板のエッジを頭皮に抗して押圧されるように位置付けされている。前記自由エッジが、先方エッジと対向するとともにこれと平行なベース部の後方エッジとなる。ベース部は接着剤によって基板と当接状態に固定される。理想的には、ベース部はベース部の面を横切る液体の流れを制限するための手段を含んでいる。この流れ制限手段はベース部の前記面内の溝を含めることができる。基板は可撓性材料とし、また透明物質でもある。
【００１２】
第二の複数の要素が、使用に際して、基板が選択された編んだ髪の回りに折りたたまれたときに、第一の複数の要素と解放可能に連結できるように基板上に設けられているのが望ましい。前記第二の複数の要素が、ファイバーおよび（または）複数のフックを備えている。ファイバーがループ状をなすか、自由端を有している。さらに、これらの後者の複数のフックは固定手段の要素に関して上述したように設けられている。
【００１３】
本発明の第二の形態は、第一の形態の装置を使用する方法を提供し、装置の基板を頭髪の選択された編んだ髪の近傍に配置するステップと；編んだ髪を前記固定手段に抗して押圧し、第一の複数の要素の少なくとも一つの要素を一つの編んだ髪の近傍に配置させ、これによって少なくとも一つの編んだ髪を把持し、選択された編んだ髪を他の編んだ髪から分離する位置に基板を固定するステップとを含んでいる。前記固定手段に抗して押圧された編んだ髪が、他の編んだ髪からマスキングのために選択された編んだ髪である。
【００１４】
方法が前記選択された編んだ髪の回りで基板を折りたたむステップと；第二の複数の要素の少なくとも一つの要素を前記選択された編んだ髪に抗して押圧して、前記選択された編んだ髪を第二の複数の要素の少なくとも一つの要素によって把持するステップもさらに含んでいる。
【００１５】
さらに、方法が第二の複数の要素の少なくとも一つの要素を前記第一の複数の要素に抗して押圧して、前記第二の複数の要素の少なくとも一つの要素と第一の複数の要素を互いに把持するステップをさらに含んでいる。
【００１６】
装置は選択された編んだ髪の処理に使用するためにも設けられており、装置は頭髪の選択された編んだ髪の処理中、頭髪の選択された編んだ髪を頭髪の他の編んだ髪から分離するための物質の基板と；基板を編んだ髪に固定するために基板に設けられた固定手段とを備え；基板の線上に配備された複数のミシン目が設けられており、前記線の各端が基板のエッジ近傍に配置されていることを特徴とする。
【００１７】
好ましくは、前記ミシン目の線が、固定手段近傍に配置されている。
【００１８】
前記ミシン目の線が、一つの長手方向延長エッジから対向方向延長エッジに基板の幅を横切って延長している。前記ミシン目の線が、基板の二つの部分の共通境界線を規定しており、基板の一方の部分が固定手段を備えている。基板の前記部分の他方が、少なくとも一つのアパーチャを備えている。
【００１９】
さらに、装置は選択された編んだ髪の処理に使用するためにも設けられており、装置は上述した複数のミシン目の設けられた装置を含み、複数の装置の他の前記基板部分が互いに連結し合っている。
【００２０】
上述したミシン目の設けられた装置を使用する方法も提供され、基板の一つの部分を前記ミシン目の線に沿って基板の他方の部分から剪断するステップと；固定手段の設けられた基板の部分を頭髪の選択された編んだ髪近傍に配置するステップと；前記基板部分を前記選択された編んだ髪近傍に固定し、前記編んだ髪を他の編んだ髪から分離するようにするステップとを含んでいる。
【００２１】
本発明の実施例を添付図面を参照して次に説明する。
【実施例】
【００２２】
第一の髪処理装置２を添付図面の図１に示す。装置２は、フック材料片６（後述する）が取り付けられるベースシート４を形成する可撓性材料の長尺片を含んでいる。ベースシート４の材料は、装置２が使用されるべき髪処理物質に不浸透である。従って、ベースシート４は前記髪処理物質と、前記物質から分離されることを意図された編んだ髪との間の有効なバリアを形成する。不浸透特性を有するだけでなく、ベースシート４の材料はまた装置２を髪から外す必要性なしに処理するために、選択された編んだ髪の点検を可能にするように透明であるのが好ましい。ベースシート４の前述した特性は、セロファン（商標名）のような合成プラスチック材料によって提供することができる。
【００２３】
ベースシート４は長尺の長方形状を有している。図１に示した装置２は、幅Ｗが７５ｍｍで、全長Ｌが１７０ｍｍである。しかし、これらの寸法は特定する状況と合致するように変えることもできる。
【００２４】
特に、長さＬは処理されるべき髪の長さによって長くなったり、短くなったりする。当該技術に習熟した人にとって明白なように、装置２は処理下にある編んだ髪の長さと少なくとも同じ長さであって、この編んだ髪の回りの髪からの分離を保証するのもでなければならない。本発明の実施例は、ベースシートが２００ｍｍ、４００ｍｍおよび５００ｍｍの標準長さ、および７５ｍｍと９０ｍｍの標準幅を有するものを提供することを予想している。
【００２５】
ベースシート４の頂部８は、装置２の長軸１２の両側部に位置する二つの円形アパーチャ１０が穿設されている。図７を参照して後述するように、アパーチャ１０はベースシート４を供給装置のウィケットへの取り付けを可能にしている。ベースシート４には、このベースシート４の幅を横切って長軸１２に対して鉛直方向に延長するミシン目線１４がさらに設けられている。ミシン目線１４はベースシート４の厚みを通して延長し、使用に際して、ベースシート４の頂部８がベースシート４の残りの部分から容易に分離されるようになっている。
【００２６】
フック材料片６が長方形状をなし、ベースシート４の全幅を横切って延長している。このフック材料６はベースシート４の長さに沿って約１５ｍｍ延長するとともに、適切な接着剤によってベースシート４の上記残りの部分に強固に貼りつけられている。別の装置において、フック材料片６はベースシート４と一体的に形成することもできる。フック材料６の頂部エッジ１６（使用時に頭皮近傍に位置付けられる）が、ミシン目線１４内のベースシート４の残りの部分上に配置されている。さらなる装置において、前記頂部エッジはミシン目線１４の上方に配置し、フック材料６の一部をベースシート４の頂部８に重畳させることもできる。しかし、このさらなる別の構成においては、フック材料６の重畳部分は接着剤（または他の方法）によって頂部８に固定せず、使用中にフック材料６およびベースシート４の残りの部分から頂部８の分離を容易にする。
【００２７】
フック材料片６は、固有の湾曲形状に形成されている。この湾曲形状は一部円形であるのが好ましい。図１に示したように、一度フック材料６がベースシート４に固定されると、ベースシート４（フック材料６の少なくとも近傍）が、フック材料６の湾曲形状になる。使用に際して、フック材料６の頂部エッジ１６の湾曲度は、ベースシート４が頭皮の湾曲度とより容易に一致することを保証する。ベースシート４の頭皮との一致を保証することを助けるために、フック材料６の少なくとも頂部エッジ領域が可撓性（好ましくは弾性的に可撓的）であり、頂部が変形してベースシート４の全幅を横切って頭皮と接触することが可能である。実際に、フック材料６は可撓性のあるプラナー（すなわち、湾曲形状なしに）としてもよい。結果的に、装置２はより容易に適用することができ、また髪を処理をする人に対してより快適さを与えることができる。図１に示した特定装置２は４．２５ｃｍの半径を有するフック材料６を備えている。しかし、他の大きさの湾曲度ももちろん使用してもよい。
【００２８】
フック材料６の外方湾曲面１８が、使用中選択された編んだ髪の根元を把持しするとともに、この目的で複数の小さいフックを備えている（図１では省略）。このフックはマッシュルーム形状をなし、一般的にフック／ループ布ファスナーに使用される形式のものである。しかし、フック／ループファスナーに使用される他のフック形状のものも湾曲面１８上に設けることができる。例えば、フックは前記面に対して鋭角に湾曲面１８から外方向に延長する部材を含んでおり、前記部材と前記面間に空間を規定して、この空間に少なくとも一つの編んだ髪が使用に際して配置される。鋭角は３０°が好ましいが、他の角度も使用できる。把持されるべき編んだ髪は部材と面の間にその収斂方向に圧縮され、これによって部材と面によって把持されることになる。フックは台形状をなし、フック材料６の面に沿っていずれの方向からもフックに向かって押圧されるように一つまたはそれ以上の編んだ髪を受け入れ把持することができる。
【００２９】
図２を参照して、複数の同形のマッシュルーム状フック２０が湾曲面１８を横切って均一に配置されているのが分かるであろう。しかし、別の装置において、フックのサイズおよび密度は面１８の直径で変わることになる。例えば、フックの密度（すなわち、単位面積当りの数）のためにベースシート４の長さに沿って増減するので有利である。ベースシート４の幅を横切るフックの密度は、変わらないのが好ましい。この方法において、いずれの任意のフック材料片６も異なるタイプ（特に、異なる密度／厚み）の種々の選択された編んだ髪を効果的によりうまく把持することができる。ベースシート４の幅を横切るよりもベースシート４の長さに沿って（フック材料６の面１８の上を）変化するフック密度および形状により、全てのタイプの髪の適切な把持がベースシート４の全幅を横切って提供することができる。しかし、選択された編んだ髪が上方エッジ１６と対向する面１８の下方エッジ２２近傍に配置されたフック２０の密度および形状を有するフックによって最もうまく把持されたタイプの状況において、上方エッジ１６近傍でベースシート４の幅を横切って配置されたフックの密度および形状は、選択された編んだ髪を把持することにおいて効果のないことである。これが選択された編んだ髪に固定された上方エッジ１６を維持し、これによって頭皮に抗して保持する必要性のために望ましくないと考えられるならば、複数のフック２０を配備してフック密度および（または）形状寸法をベースシート４の幅を横切って変えるようにするのが好ましい。この方法において、上方エッジ１６の長さに沿ってある一定位置で選択された編んだ髪の少なくともあるものが把持され、これによって上方エッジ１６の全長が頭皮に抗して保持されることになる。選択された編んだ髪を把持するのに複数のフック２０を使用することについては、後ほどさらに詳述する。
【００３０】
添付図面の図５に最も明白に示すように、フック材料６の湾曲面１８に上方エッジ１６に沿って延長する溝２４が設けられている。使用に際して、溝２４はガターとして機能し、ベースシート４の前述した残りの部分から上方エッジ１６に向かって頭皮に流すことを意図する液体の髪処理物質に抵抗を与える。図６に示した別のフック材料片６’において、溝２４は面１８’から上方に延長するとともに上方エッジ１６’に沿って延長する隆起部２６に置き換えられている。使用に際して、隆起部１６’はエッジ１６’を越えて流出する流体のバリアとして機能する。図５および６に示したフック材料片６、６’は平坦な要素として示されているが、前記片６、６’は実際には、弛緩状態にあるときに、湾曲形状（好ましくは一部円形状を有する）を想定するようにして形成される。上述したように、フック材料片６、６’の湾曲度は、上方エッジ１６、１６’が、前記エッジ１６、１６’の形状が処理下にある人の頭皮と一致するように湾曲されている。
【００３１】
ベースシート４にはベースシート４の幅を横切って長軸１２に対して鉛直方向に延長する折り目２８がさらに設けられている。この折り目はベースシート４の上方エッジ１６と下方エッジ３０間の中間に配置されている。しかし、この折り目２８は別の位置に設けることもできる。下方エッジ３０は、使用に際して上方エッジ１６上に折りたたまれ、選択された編んだ髪が完全に包囲されるように配置されているのが好ましい。別の方法として、折り目２８は省略して、必要ならばまた必要なときにユーザによって付けるようにしてもよい。
【００３２】
図７を参照して、装置２は供給装置３４のウィケット３２に取り付けられている。このウィケット３２は円形断面のＵ−字状バーである。ウィケット３２は、金属またはプラスチック材料のようないずれの適切な材料から製造することができる。ウィケット３２の二つの自由端３６（その一方のみを図７で見ることができる）が、ベースシート４に設けられたアパーチャ１０を分ける等距離で互いに隔置されている。さらに、ウィケット３２の直径の円形断面は、アパーチャ１０の直径と実質的に等しく、一つの自由端３６が一つのアパーチャ１０を通過し、また他方の自由端３６が他方のアパーチャ１０を通過するようになっている。これによって、ウィケット３２は固定具として作用し、ここに一つまたはそれ以上のベースシート４を取り付けることができる。図７には示していないが、複数の装置２がウィケット３２に設けられるのが好ましい。例えば、２０個、３０個または４０個のベースシート４がウィケット３２に取り付けることもできる。このように取り付けられた装置は、互いに同形でもよく、あるいはサイズまたはデザインが異なっていてもよい。後者の場合において、複数の装置が異なる長さ、幅および（または）フック材料の異なるデザイン（例えば前述したような）を有する装置を含めることができる。
【００３３】
一度ウィケット３２が必要とされる装置に供給されると、ウィケット３２の自由端３６が供給装置３４のベース部材３８内に受け入れられる。これによって複数の装置２のウィケット３２からの摺動が阻止される。実際に、複数の装置２がウィケット３２に事前取り付けされてユーザに販売されている。ウィケット３２はユーザの作業場に既に設置されたベース部材３８に取り外し可能に固定されている。別の方法として、複数の装置２は供給装置全体として供給することもできる。このような状況において、供給装置３４のベース部材３８は、ベース部材３８の壁への迅速、かつ、便利な方法で着脱可能な取り付けを許容する最適な固定部材を設けることができ、例えばベース部材３８の裏面４０は壁に取り付けられるフック部材と係合させるためのアパーチャを設けることができる。
【００３４】
供給装置３４の使用は必要とされる装置２の便利な選択が可能であることが理解できる。複数の装置２は規定された方法でウィケット３２に配置され、これによってユーザが選択された編んだ髪を分離して使用する特定装置２を把持する助けになる。ユーザがミシン目１４の下方でベースシート４の前述した残りの部分を把持することによって必要とする装置２を選択する。次に、ベースシート４の残りの部分が、ウィケット３２に沿って、ベース部材３８から離れるように矢印４２（図７参照）の方向に引っ張られる。しかし、頂部８はウィケット３２のクロスバー部４４（図７の鎖線で示した）によってウィケット３２から外れるのを阻止している。それにもかかわらず、頂部８は外れないようになっているが、ベースシート４の幅を横切って延長するミシン目１４がベースシート４の残りの部分の頂部８からの容易な切り離しを可能にしている。従って、選択された編んだ髪の分離のために必要とする装置２の部分（すなわち、フック材料片６の設けられたベースシート４の残りの部分）が使用のために容易に選択することができる。選択された装置２の頂部８がウィケット３２上に残っているが、これはさらなる装置２の容易な選択を妨げることはない。ウィケット３２から事前に引き剥された選択された装置の頂部８’を図７に示す。
【００３５】
一度必要とされる編んだ髪が選択されると（一般的にウィービングとして知られている技術により）、必要な装置２がウィケット３２から引き剥されると、ベースシート４の残りの部分が、選択された編んだ髪の下に配置される。上方エッジ１６が頭皮と選択された編んだ髪の根元近傍に抗して押圧される。次に、選択された編んだ髪が強く押圧され、フック材料６の湾曲面１８に抗してマッサージされる。これによって、選択された編んだ髪は面１８から延長する近接するマッシュルーム状フック２０間で押圧されるとともに、フック２０の頭部と面１８間に配置される傾向にある。フック材料６の全幅および全長を覆う髪がマッサージされ（例えば、ユーザの親指によって）、マッシュルーム状フック２０が編んだ髪の回りに配置され、前記編んだ髪が把持されて上方エッジ１６が頭皮近傍に保持されることを保証する。フック２０の選択された編んだ髪との係合が、髪処理プロセス中、ベースシート４の横方向移動に耐える働きもする。
【００３６】
選択された編んだ髪を把持するフック２０の有効性は、編んだ髪が最近洗浄されたか否かに実質上依存しない。フック２０は油っぽくない髪を把持したときと本質的に同じ効果で油っぽい髪を把持する傾向にある。フック２０は編んだ髪から外し、また把持効果をなくすことなしに再度適用すことができる。従って、上方エッジ１６の位置付けの失敗は、さらなる装置２の使用を必要とせずに容易に修正できる。使用の容易さがフック２０によっても促進され、前記フック２０はそのフック２０が配置される回りに布が含まれている面にのみ付着する傾向にある。従って、フック２０はベースシート４の残りの部分または処理下にある人の皮膚に付着する傾向にない。
【００３７】
頭皮上の所望の位置に配置された上方エッジ１６により、選択された編んだ髪はベースシート４の残りの部分上に広がるように並べられる。従って、ベースシート４の残りの部分は選択された編んだ髪を残りの部分の下方に配置された他の髪から分離するとともに、選択された編んだ髪に施される処理物質にさらされることから前記他の髪をマスクする効果があることは明白となろう。着色液のような適切な髪処理物質は、ブラシによって選択された編んだ髪に好便に適用することができる。溝２４はフック材料６から頭皮に髪処理物質が流れるのを阻止する働きをすることは当該技術に習熟した人には容易に理解できるであろう。
【００３８】
一度髪処理物質が適用されると、選択された編んだ髪が折りたたみ線２８に沿ってベースシート４の残りの部分を折りたたむことによって覆われ、これによって下方エッジ３０が上方エッジ１６近傍に配置される。別の方法として、選択された編んだ髪は、ベースシート４の残りの部分を分離するカバーシートで覆うこともできる。下方エッジ３０は接着剤によって上方エッジ１６に固定できるが、下方エッジ３０近傍のベースシート４の部分には、湾曲面１８上に設けられた複数のフック２０によって把持される材料を設けるのが好ましい。この材料はフック／ループ式ファスナー（図３参照）に従来使用された複数のループ４６を含む繊維材料でよい。別の方法として、また本発明によれば、この材料はマッシュルームタイプ（図４参照）であるのが好ましいさらなる複数のフック４８を含んでいる。
【００３９】
下方エッジ３０が上方エッジ１６近傍に固定されている（または分離したカバーシートが正しい位置に配置されている）とき、選択された髪が収容され、また直近の回りの部材から遮断される。
【００４０】
装置２は図５に示したような溝を有するフック材料片６の代わりに図６に示したような隆起部のあるフック材料片６’によって修正することもできる。結果的にできあがった装置２’の部分的側面図を図８に示す。さらなる別の装置１０２、２０２を図９および１０にそれぞれ示す。これらの別の装置１０２、２０２は図１に示す装置２とは次の点においてのみ異なる。すなわち、繊維材料片１０４が図９の装置１０２のベースシート４に設けられ、また繊維材料の二つの部分２０４、２０６が図１０に示す装置２０２のベースシート４に設けられている。図１に示す装置２と共通のさらなる装置１０２、２０２の要素は、同様の参照符号で識別されている。
【００４１】
図９で見られるように、繊維材料片１０４はベースシート４の下方エッジ３０近傍に配置され、ベースシート４の全幅を横切って延長している。ベースシート４が折り目線２８に沿って折りたたまれたときに、繊維材料片１０４がフック材料片６と一致して下方エッジ３０が上方エッジ１６近傍に固定される。図１０から分かるように、装置２０２の繊維材料２０４、２０６の二つの部分が正方形であり、また下方エッジ３０近傍に、かつ、ベースシート４の対向する長手方向延長エッジ２０８、２１０近傍に配置されている。従って、ベースシート４の残りの部分が折りたたみ線２８に沿って折りたたまれたときに、繊維材料の部分２０４、２０６が、フック材料６のフック２０と係合することによって上方エッジ１６近傍に下方エッジ３０を保持する作用をする。
【００４２】
フック／ループの別の構成、すなわち本発明によるフック／フック・ファスナーは、当該技術に習熟した人にとっては明白であろう。例えば、フック／ループファスナーの材料はベースシート４の残りの部分の全周の回りに（すなわち、ベースシート４の下方エッジ３０だけでなくベースシート４の長手方向に延長するエッジの長さに沿って）設けることができる。この方法において、ベースシート４の残りの部分が折りたたみ線２８に沿って折りたたまれたときに、選択された編んだ髪がベースシート４の材料間に完全に包み込まれ、収容される。
【００４３】
なおもさらなる別の構成を添付図面の図１１に示す。図１１の装置３０２は図１に示す装置２とは次の点においてのみ異なる。すなわち、繊維材料片３０４がベースシート４の側部上の下方エッジ３０近傍に設けられ、これと対向してフック材料６が設けられ、またフック材料片６がベースシート４の横方向に延長する部分３０６を有している。繊維材料３０４はベースシート４の全幅を横切って延長している。さらに、フック材料６の延長部分３０６は、ベースシート４の幅と実質的に同じ長さを有している。装置３０２の使用に際して、ベースシート４が折りたたみ線２８に沿って折りたたまれ、これによって下方エッジ３０が上方エッジ１６近傍に位置付けられる。次に、下方エッジ３０がフック材料６の延長部３０６を繊維材料３０４上に折りたたむことによって正しい位置に固定される。延長部３０６が事前形成折りたたみ線３０８に沿ってベースシート４のエッジで折りたたまれる。これによって延長部３０６に設けられたフックは、繊維材料３０４と係合し、下方エッジ３０の上方エッジ１６に対する実質的な動きを阻止している。さらなる変形例において、フック材料６の延長部がベースシート４の両長手方向エッジから延長している。好ましくは、二つの部分がベースシート４の幅の半分に実質的に等しい長さを有している。
【００４４】
上述の繊維材料は、従来のフック／ループ式ファスナーにおいて知られているようなフック部材を係合するための複数のループを含んでいる。繊維材料は布または吸収性紙材料として設けることもできる。本発明の実施例において、繊維材料はフック材料と交換でき、フック対フックの結合が、むしろフック対ループ結合を形成する。フック対フック結合は、マッシュルーム状フックが添付図面の図４に示すように使用されたときに、特に確実である。
【００４５】
さらに、フックを伴う基板の部分が、前記部分を横切る均一長さを変化するタイプの編んだ髪および（または）フック／ループとの接続を提供することを保証するために、一つを超えるフックタイプ（すなわち、フックの形状寸法および（または）密度）が前記部分を横切って均一に分布されている。従って、いずれの任意のフック部材を、異なるタイプのフック部材の次に配置することもできる。
【００４６】
なおもさらなる変形例において、フックとループおよびフックとフックファスナーのベースシートの固定部分と一緒にした（あるいはベースシートに対する別のカバー部分との）機能が、舌部および溝機構によって実行することができ、一方の部分から延長する舌部が別の部分の溝によって受承され把持される。
【００４７】
なおもさらなる装置４００を添付図面の図１２から１８を参照して次に説明する。このさらなる装置４００は前述の構成と同様であり、ベースシート４０４を形成する可撓性材料の長尺片を含み、ベースシート上にフック材料片４０６が取り付けられている。ベースシート４０４の材料は、装置４００と併用される髪処理物質を浸透させないものである。従って、ベースシート４０４は前記髪処理物質と、この物質から分離しようとする編んだ髪との間の効果的なバリアを形成する。フック材料片が、ベースシート４０４の全幅を横切って延長し、また適切な接着剤によってその上方エッジに沿って強固に付着される。ベースシート４０４およびフック材料４０６の寸法が、前の実施例および他の構成に関して説明したこれまでの説明の通りである。フック材料４０６の下方エッジ４０７の２ｍｍと４ｍｍの間が、自由でありベースシート４０４に対して付着されていない。この特徴の目的は、櫛の後部またはユーザの指の爪が、下方エッジ４０７の域内のフック材料４０６とベースシート４０４間への配置を許容し、ベースシート４０４の上方エッジ４０９が使用に際して頭皮に抗して押圧させるためである。ベースシート４０４に接着されるフック材料４０６の部分は、ベースシート４０４の上方エッジ４０９と図１２に示された破線４１０との間に配置されたフック材料４０６の部分である。この特徴は前に説明した実施例および他の構成のいずれにも使用することができることは当該技術に習熟した人にとって明白であろう。
【００４８】
図９の実施例におけるように、繊維材料または、すなわち、本発明によれば、フック材料片４１１はベースシート４０４の下方エッジ４１３近傍に適切な接着剤によって固定される。従って、ベースシート４０４が使用に際して折りたたまれ、下方エッジ４１３が上方エッジ４０９近傍に接近すると、材料４１１の下方片が材料４０６の上方片と係合し、これと連結するようになる。この連結はベースシート４０４を折りたたみ位置に保持されることを補助するだけでなく、髪処理物質の頭皮への望ましくない漏洩を阻止する助けをする。繊維材料がここで説明した実施例のいずれにも使用されたときに、前記材料の繊維はループ状をなすか、または自由端を有しているのが理想的である。
【００４９】
フック材料片４０６の部分平面図を添付図面の図１３に示す。図１３の拡大図は、複数の円形マッシュルーム状フック部材４１４を備えたフック材料４０６を示す。フック部材４１４は、ベースシート４０４の長軸４１５と平行して設けられた複数の列に配置されている。この結果、編んだ髪は曲げられたり、よじられたりせずにフック部材４１４の列の間に配置される。換言すれば、編んだ髪はフック部材４１４の近接する列間に配置され直線形状が保証されている。
【００５０】
図１４の断面側面図に示すように、各フック部材４１４のヘッド４１６は平坦なプラナー頂面４１７を有している。しかし、図１５に示したようにフック材料４０６の修正例において、各フック部材４１４は円錐状頂面４１８のあるヘッド４１６を有している。さらなる別の例として、頂面は図３および４に示したように部分的に球形である。湾曲したあるいは傾斜した頂面の使用は、編んだ髪をフック部材間４１４に配置する助けをする。この点に関して、フック部材４１４の前記頂面４１８は、編んだ髪をフック部材４１４間の空隙に向けて案内する作用をする。
【００５１】
図１３から１５に示したフック材料片４０６は、添付図面の図１６から１８に示したさらに修正したフック材料片と交換することができる。図１６から１８に示したフック材料は、複数の長尺Ｔ字状フック４２０を含んでいる。フック部材４２０の形態は、長尺Ｔ字状溝４２２が近接するフック部材４２０間に形成されるようになっており、フック部材はベースシート４０４の長軸４１５と平行に延長するとともに、フック材料の上方エッジ４２３からその下方エッジ４２４に延長している。溝４２２が直線であるから、編んだ髪は近接する長尺フック４２０間に直線形状に保持される。図１８に示したように、フック部材４２０のヘッド部は編んだ髪を溝４２２に向かって案内するために、傾斜する頂面４２３を備えている。
【００５２】
フック材料片４１１を図１６から１８に示した長尺フック部材４２０を含むフック材料片４０６に連結するために、すなわち、本発明によれば、フック材料片は複数のフック部材を設けるのが好ましい（例えば、マッシュルーム状フックまたは長尺Ｔ字状フック）。この種のフック部材は、ループまたは他の繊維材料よりもフック材料の長尺Ｔ字状フック部材に強固に連結されるであろう。
【００５３】
本発明は上述した特定する実施例に限定するものではない。別の構成および適切な材料が当該技術に習熟した人にとっては明白であろう。
【図面の簡単な説明】
【００５４】
【図１】第一の髪処理装置の概略平面図。
【図２】図１の実施例に設けられた複数のフックの概略透視図。
【図３】フックが図２に示したタイプのものであるフック／ループ連結を示す概略側面図。
【図４】フックが図２に示したタイプのものである本発明によるフック／フック連結を示す概略側面図。
【図５】図１の機構に設けられたフック材料片の概略透視図。
【図６】図１の機構に設けられた別のフック材料片の概略透視図。
【図７】ウィケット・ディスペンサーに固定された第一装置の上方部を示す概略断面側面図。
【図８】図６に示したフック材料を提供する本発明の第二装置の上方部の概略側面図。
【図９】基板の上方エッジおよび下方エッジ両方にフック材料が設けられたときの本発明の第３実施例の装置の概略平面図。
【図１０】基板の上方エッジおよび下方エッジ両方にフック材料が設けられたときの本発明の第４実施例の装置の概略平面図。
【図１１】基板の上方エッジおよび下方エッジ両方にフック材料が設けられたときの本発明の第５実施例の装置の概略平面図。
【図１２】基板の上方エッジおよび下方エッジ両方にフック材料が設けられたときの本発明の第６実施例の装置の概略平面図。
【図１３】円形マッシュルーム状フック部材を含むフック材料片の概略平面部分図。
【図１４】図１３のフック材料を前記図の線Ａ−Ａから見た概略部分側面断面図。
【図１５】図１３に示すフック材料の修正バージョンの概略部分側面断面図。
【図１６】長尺Ｔ字状フック部材を含むフック材料片の概略平面部分図。
【図１７】図１６のフック材料を前記図の線Ｂ−Ｂから見た概略部分側面断面図。
【図１８】図１７に示したフック材料の修正バージョンの概略部分側面断面図。




【国際調査報告】
2004536645.tif 000036
2004536645.tif 000037
2004536645.tif 000038
2004536645.tif 000039
2004536645.tif 000040